(57)【要約】      （修正有）【課題】洗浄剤を使用せずに、あるいは少量の洗浄剤を使用するだけで一般的な汚れを落とすことができ、乾燥にかかる時間が短いため衛生的であり、狭い個所の清掃が可能で、劣化しにくく耐久性がある汚れ落とし用具を提供する。【解決手段】ＰＥＴ繊維およびアルミニウム繊維を含む厚さ５ｍｍ以下の不織布１が名刺大ないしハンカチ大にカットされてなることを特徴とする汚れ落とし用具。【選択図】図１
0003103649.tif 000002
【実用新案登録請求の範囲】
【請求項１】
ＰＥＴ繊維およびアルミニウム繊維を含む厚さ５ｍｍ以下の不織布が名刺大ないしハンカチ大にカットされてなることを特徴とする汚れ落とし用具。
【請求項２】
ＰＥＴ繊維の割合が４０質量％〜６０質量％、アルミニウム繊維の割合が６０質量％〜４０質量％であることを特徴とする請求項１に記載の汚れ落とし用具。
【請求項３】
不織布における繊維の状態が家庭用レンジフードフィルターにおけるものと同等であることを特徴とする請求項１または２に記載の汚れ落とし用具。
【請求項４】
不織布の周縁部分では熱圧処理によって繊維間が接着されていることを特徴とする請求項１〜３のいずれかに記載の汚れ落とし用具。
【請求項５】
周縁部分とともに、不織布の内側部分においても碁盤目の線状に熱圧処理によって繊維間が接着されていることを特徴とする請求項４に記載の汚れ落とし用具。
【請求項６】
樹脂棒の先端部に上記の不織布が取り付けられていることを特徴とする請求項１〜５のいずれかに記載の汚れ落とし用具。
【請求項７】
上記の樹脂棒が先端部に不織布の巻き付けのためのスリットを有することを特徴とする請求項６に記載の汚れ落とし用具。
【請求項８】
上記の樹脂棒が、巻き付けた不織布を留め押さえるためのクリップ片を先端部付近に有することを特徴とする請求項６または７に記載の汚れ落とし用具。
【請求項９】
上記の樹脂棒が先端部付近で湾曲しており、上記のクリップ片として、バネの力で閉じ合わされ手指にて開くことのできる開閉可能なものが、上記湾曲の凹部の側に、閉じ合わされるときに先端付近を溝状のくぼみに入れるように取り付けられていることを特徴とする請求項８に記載の汚れ落とし用具。  
【請求項１０】
ＰＥＴ繊維とアルミニウム繊維とを含む厚さ５ｍｍ以下の不織布で周縁部分に熱圧処理にて繊維間の接着を施されたもので、名刺大ないしハンカチ大にカットされたもの複数枚と、先端部または先端部付近に不織布の巻き付けまたは保持のための手段を有する寸法の異なる樹脂棒複数本とが組にされている汚れ落とし用具セット。
【考案の詳細な説明】
【技術分野】
【０００１】
請求項に係る考案は、おもに家庭で使用する汚れ落とし用具に関するものである。
【背景技術】
【０００２】
食器や鍋などのガラス、陶磁器、プラスチック、アルミ、ステンレス製品等の汚れを落とす手段として、合成繊維あるいは不織布や特殊な樹脂で作られたスポンジやクロスが公知である。たとえば、特許文献１に記載の清掃用不織布は、合成繊維から成る不織布にあらかじめ洗浄剤を含浸させたものである。
【特許文献１】特開２００３−１８０５９３号公報
【考案の開示】
【考案が解決しようとする課題】
【０００３】
上記特許文献１による清掃用不織布は、長期間に亘って変性した頑固な油汚れ等の清掃に適しているが、厚みが大きいため、日常的に使用する食器類等の清掃には使いにくい。また、その他これまでに市販されている台所用スポンジ、不織布、樹脂製品等の中には、洗浄剤を使用せずに、あるいは少量の洗浄剤を使用するだけで一般的な汚れを落とす性能が高く、早く乾燥して臭いを発生させず、急須の口等の狭い個所の清掃もしやすく、なおかつ耐久性があるといった好ましい製品は見当たらない。
【０００４】
本件出願の請求項に記載の考案は、洗浄剤を使用せずに、あるいは少量の洗浄剤を使用するだけで一般的な汚れを落とすことができ、乾燥にかかる時間が短いため衛生的であり、狭い個所の清掃が可能で、劣化しにくく耐久性がある汚れ落とし用具を提供することを目的とする。
【課題を解決するための手段】
【０００５】
請求項１に記載の汚れ落とし用具は、ＰＥＴ繊維およびアルミニウム繊維を含む厚み５ｍｍ以下（０．５ｍｍ以上）の不織布であり、大きさは日用品に対して使いやすいよう名刺大ないしハンカチ大にカットされていることを特徴とする。この不織布は繊維間に隙間を含むものであるため適度な通気性を持ち、したがって乾燥にかかる時間が短くてすむ。
【０００６】
この汚れ落とし用具によれば、ＰＥＴ繊維とアルミニウム繊維の作用で食器等に傷を付けずに汚れをかきとって落とすことができ、薄手であるため乾燥にかかる時間も短く、したがって雑菌の繁殖を押さえることができ、悪臭が発生することもなく衛生的である。また、厚みが薄いため細かい場所の掃除が楽にでき、ＰＥＴ繊維およびアルミニウム繊維が丈夫であるため長期間の使用に耐えうる。また、アルミニウム繊維は油分の吸着性に優れているため、洗浄剤を使用せずに、あるいは少量の洗浄剤を使用するだけで油汚れを落としやすい。ＰＥＴ繊維はペットボトル等からの再生品を使用すれば、省資源化につながる。
【０００７】
請求項２に記載のように、不織布を構成する繊維のうち、ＰＥＴ繊維の不織布全量に対する割合は４０質量％〜６０質量％（以下、単に「％」と表示する）、アルミニウム繊維の不織布全量に対する割合は６０％〜４０％が好ましい。ＰＥＴ繊維の割合が４０％より少ないとアルミニウム繊維が食器等を傷つけるおそれがあり、６０％より多くなるとアルミニウム繊維の働きが不十分なため汚れが十分に落ちないおそれがある。
【０００８】
請求項３に記載の汚れ落とし用具は、不織布における繊維の状態が家庭用レンジフードフィルターにおけるものと同等、すなわち、それぞれ太さが３０μｍ〜１００μｍのＰＥＴ繊維とアルミニウム繊維とを混合したものを積層し、これを上下から加圧して形成された不織布であることを特徴とし、既製品（レンジフードフィルター用の不織布）を利用して汚れ落とし用具を構成できる。
【０００９】
この汚れ落とし用具を、請求項４に記載のように周縁部分に熱圧処理（熱および圧力をかけて繊維間を接着すること）をすれば、使用しているうちに周縁部から繊維がほつれて劣化していくのを防ぐことができる。
【００１０】
請求項５に記載の汚れ落とし用具のように、周縁部分だけでなく内側部分にも碁盤目の線状に熱圧処理を施せば、その線に沿って使いやすい大きさに不織布を裁断できるとともに、裁断面から繊維がほつれて劣化していくのを防ぐことができる。
【００１１】
請求項６に記載の汚れ落とし用具のように、樹脂製（ポリプロピレン等）の棒の先端部にこの汚れ落とし用具を巻き付ければ、急須の口のような狭い穴や溝の清掃も容易である。たとえば請求項７のように、請求項１〜５に記載の不織布の一端をスリットに挟み込んで樹脂棒に巻き付け、巻き終わりの一端を再度スリットに挟み込めば、狭い個所の清掃に適した状態となり、通常のスポンジ等では届かないような狭い個所の清掃ができる。このとき、巻き終わりの一端はスリットに挟み込まずに、水に強いテープ等で留めてもよい。また、樹脂製の棒ゆえ適度に細いものにすると弾性変形しやすく、使いやすい。
【００１２】
請求項８に記載の汚れ落とし用具は、上記の樹脂棒の先端部にクリップ片を有することを特徴とする。請求項１〜５に記載の不織布の一端を樹脂棒の先端部に取り付けたクリップ片で留め押さえて樹脂棒に巻きつけ、もう一端を再度クリップ片で留め押さえると、狭い個所の清掃に適した状態となり、通常のスポンジ等では届かないような狭い個所の清掃ができる。このとき、巻き終わりの一端はクリップ片で留め押さえずに、水に強いテープ等で留めてもよい。
【００１３】
請求項９に記載の汚れ落とし用具は、上記の樹脂棒の先端部付近が湾曲しており、先端部に開閉式のクリップ片を有していることを特徴とする。このクリップ片はバネの力で閉じ合わされており、手指を使ってクリップの先端部を開くことができる。閉じ合わされた状態のクリップ片は樹脂棒の溝状のくぼみに入る形状になっている。クリップの先端部を開いた状態で樹脂棒に請求項１〜５に記載の不織布を巻きつけ、巻き終わりの一端をクリップ片で留め押さえると、狭い個所の清掃に適した状態となり、通常のスポンジ等では届かないような狭い個所の清掃ができる。このとき、巻き終わりの一端はクリップ片で留め押さえずに、水に強いテープ等で留めてもよい。
【００１４】
上記のように、樹脂棒がスリットまたはクリップ片を有していれば、使用者が容易に樹脂棒に不織布を巻き付けることができるため、製造者があらかじめ樹脂棒に不織布を巻き付けておく必要がなく、製造コストをおさえることができる。また、不織布を交換すれば樹脂棒を半永久的に再利用できるため、省資源化にもつながる。
【００１５】
請求項１０に記載の汚れ落とし用具セットは、周縁部等に熱圧処理を施された上記の不織布複数枚と、スリットやクリップ片を有する上記の樹脂棒複数本（寸法の異なるもの）とを組み合わせたもので、用途や清掃対象に応じて使用者が適宜に樹脂棒とそれに巻きつける不織布とを選んで用具を使い分けることができる。
【考案の効果】
【００１６】
請求項１〜３に記載の汚れ落とし用具は、洗浄剤を使用せずに、あるいは少量の洗浄剤を使用するだけで食器等の汚れをよく落とすことができ、繊維が磨耗しにくいため耐久性がある。また、厚みが薄いため、狭い個所も清掃しやすく、早く乾燥するため衛生的である。
【００１７】
請求項４および５に記載の汚れ落とし用具は、周縁部のほつれによる劣化を防ぐことができる。
【００１８】
請求項６に記載の汚れ落とし用具によれば、狭い部分の清掃が容易にできる。
【００１９】
請求項７〜９に記載の汚れ落とし用具は、使用者が容易に不織布を樹脂棒に取り付けることができるため、不織布の交換が容易であり、また製造コストを抑えることができる。
【００２０】
とくに請求項８および９に記載の汚れ落とし用具は、樹脂棒に不織布を巻く際に巻き終わり部分を押さえやすく、不織布の交換が容易である。
【００２１】
請求項９に記載の汚れ落とし用具は、樹脂棒の先端部が湾曲しているため、狭く湾曲している個所の清掃が容易である。
【００２２】
請求項１０に記載の汚れ落とし用具セットは、清掃する対象物や対象個所に応じて適した用具を使い分けることができる。
【考案を実施するための最良の形態】
【００２３】
以下、本考案の実施の形態を図面および比較例に基づいて説明する。
【００２４】
汚れ落とし用具に使用する図１の不織布１は、ＰＥＴ繊維とアルミニウム繊維とを混合し、上下から加圧してフェルト状をなす平板状に形成したものである。このとき、不織布１の全量に対するＰＥＴ繊維の使用量は４０％〜６０％、アルミニウム繊維の使用量は６０％〜４０％とすることが望ましい。ＰＥＴ繊維の量が４０％より少ないと、アルミニウム繊維が食器等を傷つけるおそれがあり、６０％より多くなるとアルミニウム繊維の働きが不十分なため汚れが十分に落ちないおそれがある。また、本考案では繊維の太さは概ね３０μｍ〜５０μｍとするのがよい。繊維径が３０μｍ未満では、充分な洗浄力が得られないこととなる。繊維径が大きくなるほど洗浄力は上がるが、不織布１の柔軟性がなくなり使用性が悪くなる。
【００２５】
不織布１の平均繊維間距離は、５０μｍ〜２００μｍとするのがよい。繊維間距離が２００μｍより大きくなると、繊維密度が低くなり汚れを落とす機能が不十分となるおそれがある。
【００２６】
上記の条件でＰＥＴ繊維とアルミニウム繊維とを混合し、上下から加圧してフェルト状をなす平板状に形成し、その厚みが０．５ｍｍ〜５ｍｍ程度となるようにする。
【００２７】
図１（ａ）は、こうして加工した不織布１を、名刺大（たとえば５ｃｍ四方）ないしハンカチ大（たとえば５０ｃｍ四方）のいずれかの大きさにカットし、周縁部１ａの全域に熱圧処理をおこなったものを示している。また、図１（ｂ）のように、不織布１の内側部分に、あらかじめ碁盤目の線状に線１’ｂを印刷しておくと、その線に沿って使用者が好きな大きさに裁断できて便利である。このとき、裁断してもほつれないよう、線１’ｂは熱圧処理されているのが望ましい。
【００２８】
また、このように作成した不織布１の使用性と、他素材の清掃用具の使用性とを比較した結果が、表１である。それぞれの素材からできている市販の台所用清掃具と、木綿布を２０ｃｍ四方に裁断したものを用い、一般家庭でそれぞれ約１ヶ月間使用したときの比較である。いずれの清掃用具も、水に濡らし軽く絞って使用する。なお、表中には評価を、○：良好、△：普通、×：悪い、によって示している。
【表１】
0003103649.tif 000003
【００２９】
また、図２〜図４は図１の不織布１のうちいずれかの大きさのものを、弾性変形しやすい樹脂棒１０・２０・３０の先端部に巻き付ける方法を示している。樹脂棒１０・２０・３０に用いる合成樹脂は、特に限定されるものではないが、ポリプロピレン、アクリル樹脂等を挙げることができる。樹脂棒１０・２０・３０の長さは１０ｃｍ〜３０ｃｍとすることが必要であるが、使用性を考えると２０ｃｍ以下とすることが望ましい。樹脂棒の幅は５ｍｍ〜１５ｍｍとすることが必要であるが、好ましくは８ｍｍ以下とすることが望ましい。樹脂棒の厚みは２ｍｍ〜８ｍｍとすることが必要であるが、好ましくは５ｍｍ以下とすることが好ましい。樹脂棒の幅、厚みとも、上記の条件よりも大きくなると、狭い個所の清掃という目的を達するのが困難になるおそれがある。
【００３０】
図２の樹脂棒１０は全長が１５ｃｍ〜２０ｃｍ程度で、先端部に合わせ式になったクリップ片１１を有している。クリップ片１１の長さは５ｃｍ〜１０ｃｍ程度が望ましい。樹脂棒１０とクリップ片１１の基端部分とはピン１１ａによって結合されており、ピン１１ａを軸にバネ１１ｃがとりつけられている。バネ１１ｃの作用でクリップ片１１の先端部が閉じる向きに力を受けるが、クリップ片１１の基端部分１１ｂを手指で押すことにより、バネ１１ｃの力に抗してクリップ片１１の先端部がピン１１ａを軸にして開く。クリップ片１１の先端部が開いた状態で図１に記載の不織布１を樹脂棒１０の先端付近に巻きつけ、巻き終わりの一端をクリップ片１１ではさんで留めると、狭い個所の清掃に適した状態となり、通常のスポンジ等では届かないような、急須の口等の狭い個所の清掃ができる。またこのとき、樹脂棒の先端部等がクリップ片の側にゆるく湾曲していると、手に持ちやすく、清掃もしやすい。樹脂棒１０の先端部は溝状にくぼんでおり、クリップ片を閉じた状態では樹脂棒１０のくぼみにクリップ片１１が収まる。この状態にすることで樹脂棒１０に巻きつけた不織布１の露出面積が小さくならず、より清掃しやすくなる。またこのとき、巻き終わりの一端はクリップ片で留め押さえずに、水に強いテープ等で留めてもよい。図２（ｂ）は、上記のように樹脂棒１０に不織布１を巻きつけ、巻き終わりをクリップ片で留め押さえたときの樹脂棒１０等の断面図（ｂ−ｂ）である。
【００３１】
図３の樹脂棒は全長が１５ｃｍ〜２０ｃｍ程度で、先端から１０ｃｍ程度の長さのスリットを有している。スリットの幅は２ｍｍ程度とすることが望ましい。不織布１の一端をスリットに挟み込んで樹脂棒に巻き付け（図３（ｂ）を参照）、巻き終わりの一端を再度スリットに挟み込むと、狭い個所の清掃に適した状態となり、通常のスポンジ等では届かないような、急須の口等の狭い個所の清掃ができる。このとき、巻き終わりの一端はスリットに挟みこまずに、水に強いテープ等で留めてもよい。
【００３２】
図４の樹脂棒は全長が１５ｃｍ〜２０ｃｍ程度で、先端部分に１０ｃｍ程度の長さのクリップ片３１を有している。クリップ片３１の足３１ａは樹脂棒３０に接着されている。不織布１の一端を接着されていないクリップ片３１の先端部３１ｂで留め押さえて樹脂棒に巻き付け、巻き終わりの一端を再度先端部３１ｂで押さえると、狭い個所の清掃に適した状態となり、通常のスポンジ等では届かないような、急須の口等の狭い個所の清掃ができる。このとき、巻き終わりの一端はクリップ片で留め押さえずに、水に強いテープ等で留めてもよい。
【００３３】
上記の樹脂棒１０、２０または３０を、異なる寸法で３種類作成し、それらを不織布とセットにして販売すれば、購入者が用途に応じて使い分けることができて便利である。
【００３４】
また、不織布１に水を含ませて網戸の表面をこすると、網戸についたほこりや汚れを落としやすい。その他に、風呂桶につく水垢、台所等の排水口のぬめり、携帯用魔法瓶のふたの溝につく水垢、木製品や石製品につくコケ等も、不織布１を水にぬらしてこするだけで簡単に落とすことができる。
【図面の簡単な説明】
【００３５】
【図１】図１（ａ）は、周縁部を熱圧処理した不織布を示す斜視図であり、図１（ｂ）は不織布の内側部分に碁盤目の線状に熱圧処理をほどこしたときの斜視図である。
【図２】図２（ａ）は、先端部に開閉式のクリップ片を有する樹脂棒を示す図であり、図２（ｂ）はその樹脂棒に不織布を巻きつけたときの断面図（図２（ａ）のｂ−ｂ断面）である。
【図３】図３（ａ）は、先端にスリットを有する樹脂棒を示す斜視図であり、図３（ｂ）はその樹脂棒に不織布を巻き始める様子を示した斜視図である。
【図４】図４（ａ）は、先端部にクリップ片を有する樹脂棒を示す斜視図であり、図４（ｂ）はその樹脂棒に不織布を巻いてクリップ片で留め押さえた様子を示した斜視図である。
【符号の説明】
【００３６】
１  不織布
１０  樹脂棒
１１  開閉式クリップ片
２０  樹脂棒
２１  スリット
３０  樹脂棒
３１  クリップ片
【図１】
0003103649.tif 000004
【図２】
0003103649.tif 000005
【図３】
0003103649.tif 000006
【図４】
0003103649.tif 000007